(57)【要約】  ワイヤレス通信システムにおいてビーコンシグナリングを管理するためのシステムおよび方法について本明細書で説明する。本明細書で説明する方法は、隣接マクロセルと隣接マクロセルの時分割多重（ＴＤＭ）チャネルオフセットとを識別することであって、チャネルオフセットがシグナリングチャネルまたはオーバーヘッドチャネルのうちの少なくとも１つに対応する、識別することと、隣接マクロセルのチャネルオフセットとは異なるローカルチャネルオフセットを選択することと、隣接マクロセルの送信間隔の少なくとも一部分について第１の送信が省略されるように送信スケジュールを生成することとを含み、隣接マクロセルの送信間隔は、隣接マクロセルのチャネルオフセットに従って識別され、第１の送信は、パイロット送信、媒体アクセス制御（ＭＡＣ）送信またはトラフィック送信のうちの少なくとも１つを含む。
2013532444.tif 000002
【特許請求の範囲】
【請求項１】
ワイヤレス通信システム内の送信を管理するためのシステムであって、前記システムが、
隣接マクロセルと前記隣接マクロセルの時分割多重（ＴＤＭ）チャネルオフセットとを識別するように構成されたネイバーセル分析モジュールと、なお、前記チャネルオフセットはシグナリングチャネルまたはオーバーヘッドチャネルのうちの少なくとも１つに対応する；
前記ネイバーセル分析モジュールに通信上結合され、前記隣接マクロセルの前記チャネルオフセットとは異なるローカルチャネルオフセットを選択するように構成されたオフセット選択モジュールと；
前記ネイバーセル分析モジュールと前記オフセット選択モジュールとに通信上結合され、前記隣接マクロセルの送信間隔の少なくとも一部分について第１の送信が省略されるように送信スケジュールを生成するように構成されたスケジューラモジュールと；
を備え、
前記隣接マクロセルの前記送信間隔が前記隣接マクロセルの前記チャネルオフセットに従って識別され、
前記第１の送信が、パイロット送信、媒体アクセス制御（ＭＡＣ）送信またはトラフィック送信のうちの少なくとも１つを備える、
システム。
【請求項２】
前記オフセット選択モジュールは、前記ローカルチャネルオフセットと前記隣接マクロセルの前記チャネルオフセットとの間の時間的距離が最大にされるような前記ローカルチャネルオフセットを選択するようにさらに構成されている、請求項１に記載のシステム。
【請求項３】
前記隣接マクロセルの前記チャネルオフセットが０と３との間の整数Ｎであり、前記ローカルチャネルオフセットが（Ｎ＋２）ｍｏｄ４に従って選択される、請求項２に記載のシステム。
【請求項４】
前記スケジューラモジュールは、データがローカルに送信されないインターレースに対応する前記隣接マクロセルの前記送信間隔の少なくとも一部分について前記第１の送信が省略されるように前記送信スケジュールを生成するようにさらに構成されている、請求項１に記載のシステム。
【請求項５】
前記スケジューラモジュールが、前記隣接マクロセルの同期制御チャネル（ＳＣＣ）境界に対応する時間間隔の前のウォームアップ期間の間に前記第１の送信をスケジュールするようにさらに構成されている、請求項１に記載のシステム。
【請求項６】
前記スケジューラモジュールが、前記隣接マクロセルによって示されるネイバーリストサイズに応じて、前記隣接マクロセルの前記ＳＣＣ境界に対応する前記時間間隔を越えて前記ウォームアップ期間を延長するようにさらに構成されている、請求項５に記載のシステム。
【請求項７】
前記スケジューラモジュールが、前記ローカルチャネルオフセットに従って定義された各ローカルチャネルスロットにおいてパイロットバースト送信とトラフィックバースト送信とをスケジュールするようにさらに構成されている、請求項１に記載のシステム。
【請求項８】
前記スケジューラモジュールが、各ローカルチャネルスロットの直前の第１のハーフスロットまたは各ローカルチャネルスロットの直後の第２のハーフスロットのうちの１つまたは複数においてパイロットバースト送信をスケジュールするようにさらに構成されている、請求項７に記載のシステム。
【請求項９】
前記隣接マクロセルが最も強い隣接マクロセルである、請求項１に記載のシステム。
【請求項１０】
前記ネイバーセル分析モジュールが、複数の隣接マクロセルと前記隣接マクロセルの複数のＴＤＭチャネルオフセットとを識別するようにさらに構成され、前記スケジューラモジュールは、前記複数の隣接マクロセルのチャネルオフセットに従って判断された前記複数の隣接マクロセルの前記送信間隔の少なくとも一部分について前記第１の送信が省略されるように前記送信スケジュールを生成するようにさらに構成されている、請求項１に記載のシステム。
【請求項１１】
隣接マクロセルと前記隣接マクロセルの時分割多重（ＴＤＭ）チャネルオフセットとを識別することと、なお、前記チャネルオフセットはシグナリングチャネルまたはオーバーヘッドチャネルのうちの少なくとも１つに対応する；
前記隣接マクロセルの前記チャネルオフセットとは異なるローカルチャネルオフセットを選択することと；
前記隣接マクロセルの送信間隔の少なくとも一部分について第１の送信が省略されるように送信スケジュールを生成することと；
を備え、
前記隣接マクロセルの前記送信間隔が前記隣接マクロセルの前記チャネルオフセットに従って識別され、
前記第１の送信が、パイロット送信、媒体アクセス制御（ＭＡＣ）送信またはトラフィック送信のうちの少なくとも１つを備える、
方法。
【請求項１２】
前記ローカルチャネルオフセットを選択することは、前記ローカルチャネルオフセットと前記隣接マクロセルの前記チャネルオフセットとの間の時間的距離が最大にされるような前記ローカルチャネルオフセットを選択することを備える、請求項１１に記載の方法。
【請求項１３】
前記隣接マクロセルの前記チャネルオフセットが０と３との間の整数Ｎであり、前記ローカルチャネルオフセットを選択することが、（Ｎ＋２）ｍｏｄ４に従って前記ローカルチャネルオフセットを選択することを備える、請求項１２に記載の方法。
【請求項１４】
前記送信スケジュールを生成することは、データがローカルに送信されないインターレースに対応する前記隣接マクロセルの前記送信間隔の少なくとも一部分について前記第１の送信が省略されるように前記送信スケジュールを生成することを備える、請求項１１に記載の方法。
【請求項１５】
前記送信スケジュールを生成することは、前記隣接マクロセルの同期制御チャネル（ＳＣＣ）境界に対応する時間間隔の前のウォームアップ期間の間に前記第１の送信をスケジュールすることを備える、請求項１１に記載の方法。
【請求項１６】
前記送信スケジュールを生成することは、前記隣接マクロセルによって示されるネイバーリストサイズに応じて、前記隣接マクロセルの前記ＳＣＣ境界に対応する前記時間間隔を越えて前記ウォームアップ期間を延長することをさらに備える、請求項１５に記載の方法。
【請求項１７】
前記送信スケジュールを生成することは、前記ローカルチャネルオフセットに従って定義された各ローカルチャネルスロットにおいてパイロットバースト送信とトラフィックバースト送信とをスケジュールすることを備える、請求項１１に記載の方法。
【請求項１８】
前記送信スケジュールを生成することは、各ローカルチャネルスロットの直前の第１のハーフスロットまたは各ローカルチャネルスロットの直後の第２のハーフスロットのうちの１つまたは複数においてパイロットバースト送信をスケジュールすることをさらに備える、請求項１７に記載の方法。
【請求項１９】
前記隣接マクロセルが最も強い隣接マクロセルである、請求項１１に記載の方法。
【請求項２０】
前記識別することは、複数の隣接マクロセルと前記隣接マクロセルの複数のＴＤＭチャネルオフセットとを識別することを備え、前記送信スケジュールを生成することは、前記複数の隣接マクロセルのチャネルオフセットに従って判断された前記複数の隣接マクロセルの前記送信間隔の少なくとも一部分について前記第１の送信が省略されるように前記送信スケジュールを生成することを備える、請求項１１に記載の方法。
【請求項２１】
ワイヤレス通信システム内の送信に関連する干渉を制御するためのシステムであって、前記システムが、
隣接マクロセルを識別するための手段と、
前記隣接マクロセルの時分割多重（ＴＤＭ）チャネルオフセットを識別するための手段と、
前記隣接マクロセルの前記チャネルオフセットとは異なるローカルチャネルオフセットを選択するための手段と、
前記隣接マクロセルの送信間隔の少なくとも一部分について第１の送信が省略されるように送信スケジュールを生成するための手段と
を備え、
前記隣接マクロセルの前記送信間隔が前記隣接マクロセルの前記チャネルオフセットに従って識別され、
前記第１の送信が、パイロット送信、媒体アクセス制御（ＭＡＣ）送信またはトラフィック送信のうちの少なくとも１つを備える、
システム。
【請求項２２】
前記ローカルチャネルオフセットを選択するための前記手段は、前記ローカルチャネルオフセットと前記隣接マクロセルの前記チャネルオフセットとの間の時間的距離が最大にされるような前記ローカルチャネルオフセットを選択するように構成されている、請求項２１に記載のシステム。
【請求項２３】
前記隣接マクロセルの前記チャネルオフセットが０と３との間の整数Ｎであり、前記ローカルチャネルオフセットが（Ｎ＋２）ｍｏｄ４に従って選択される、請求項２２に記載のシステム。
【請求項２４】
前記送信スケジュールを生成するための前記手段は、データがローカルに送信されないインターレースに対応する前記隣接マクロセルの前記送信間隔の少なくとも一部分について前記第１の送信が省略されるように前記送信スケジュールを生成するように構成されている、請求項２１に記載のシステム。
【請求項２５】
前記送信スケジュールを生成するための前記手段が、前記隣接マクロセルの同期制御チャネル（ＳＣＣ）境界に対応する時間間隔の前のウォームアップ期間の間に前記第１の送信をスケジュールするように構成されている、請求項２１に記載のシステム。
【請求項２６】
前記送信スケジュールを生成するための前記手段が、前記隣接マクロセルによって示されるネイバーリストサイズに応じて、前記隣接マクロセルの前記ＳＣＣ境界に対応する前記時間間隔を越えて前記ウォームアップ期間を延長するようにさらに構成されている、請求項２５に記載のシステム。
【請求項２７】
前記送信スケジュールを生成するための前記手段が、前記ローカルチャネルオフセットに従って定義された各ローカルチャネルスロットにおいてパイロットバースト送信とトラフィックバースト送信とをスケジュールするように構成されている、請求項２１に記載のシステム。
【請求項２８】
前記送信スケジュールを生成するための前記手段が、各ローカルチャネルスロットの直前の第１のハーフスロットまたは各ローカルチャネルスロットの直後の第２のハーフスロットのうちの１つまたは複数においてパイロットバースト送信をスケジュールするようにさらに構成されている、請求項２７に記載のシステム。
【請求項２９】
前記隣接マクロセルが最も強い隣接マクロセルである、請求項２１に記載のシステム。
【請求項３０】
前記隣接マクロセルを識別するための前記手段が、複数の隣接マクロセルを識別するように構成され、
前記ＴＤＭチャネルオフセットを識別するための前記手段が、前記隣接マクロセルの複数のＴＤＭチャネルオフセットを識別するように構成され、
前記送信スケジュールを生成するための前記手段は、前記複数の隣接マクロセルのチャネルオフセットに従って判断された前記複数の隣接マクロセルの前記送信間隔の少なくとも一部分について前記第１の送信が省略されるように前記送信スケジュールを生成するように構成されている、
請求項２１に記載のシステム。
【請求項３１】
プロセッサ可読媒体上に常駐し、プロセッサ可読命令を備えるコンピュータプログラム製品であって、
前記プロセッサ可読命令は、プロセッサに
隣接マクロセルと前記隣接マクロセルの時分割多重（ＴＤＭ）チャネルオフセットとを識別させ、
前記隣接マクロセルの前記チャネルオフセットとは異なるローカルチャネルオフセットを選択させ、
前記隣接マクロセルの送信間隔の少なくとも一部分について第１の送信が省略されるように送信スケジュールを生成させる、
ように構成されており、
前記隣接マクロセルの前記送信間隔が前記隣接マクロセルの前記チャネルオフセットに従って識別され、
前記第１の送信が、パイロット送信、媒体アクセス制御（ＭＡＣ）送信またはトラフィック送信のうちの少なくとも１つを備える、
コンピュータプログラム製品。
【請求項３２】
前記プロセッサに前記ローカルチャネルオフセットを選択させるように構成された前記命令は、前記プロセッサに、前記ローカルチャネルオフセットと前記隣接マクロセルの前記チャネルオフセットとの間の時間的距離が最大にされるような前記ローカルチャネルオフセットを選択させるようにさらに構成されている、請求項３１に記載のコンピュータプログラム製品。
【請求項３３】
前記隣接マクロセルの前記チャネルオフセットが０と３との間の整数Ｎであり、前記ローカルチャネルオフセットを選択することが、（Ｎ＋２）ｍｏｄ４に従って前記ローカルチャネルオフセットを選択することを備える、請求項３２に記載のコンピュータプログラム製品。
【請求項３４】
前記プロセッサに前記送信スケジュールを生成させるように構成された前記命令は、前記プロセッサに、データがローカルに送信されないインターレースに対応する前記隣接マクロセルの前記送信間隔の少なくとも一部分について前記第１の送信が省略されるように前記送信スケジュールを生成させるように構成された命令を備える、請求項３１に記載のコンピュータプログラム製品。
【請求項３５】
前記プロセッサに前記送信スケジュールを生成させるように構成された前記命令は、前記プロセッサに、前記隣接マクロセルの同期制御チャネル（ＳＣＣ）境界に対応する時間間隔の前のウォームアップ期間の間に前記第１の送信をスケジュールさせるように構成された命令を備える、請求項３１に記載のコンピュータプログラム製品。
【請求項３６】
前記プロセッサに前記送信スケジュールを生成させるように構成された前記命令は、前記プロセッサに、前記隣接マクロセルによって示されるネイバーリストサイズに応じて、前記隣接マクロセルの前記ＳＣＣ境界に対応する前記時間間隔を越えて前記ウォームアップ期間を延長させるように構成された命令を備える、請求項３５に記載のコンピュータプログラム製品。
【請求項３７】
前記プロセッサに前記送信スケジュールを生成させるように構成された前記命令は、前記プロセッサに、前記ローカルチャネルオフセットに従って定義された各ローカルチャネルスロットにおいてパイロットバースト送信とトラフィックバースト送信とをスケジュールさせるように構成された命令を備える、請求項３１に記載のコンピュータプログラム製品。
【請求項３８】
前記プロセッサに前記送信スケジュールを生成させるように構成された前記命令は、前記プロセッサに、各ローカルチャネルスロットの直前の第１のハーフスロットまたは各ローカルチャネルスロットの直後の第２のハーフスロットのうちの１つまたは複数においてパイロットバースト送信をスケジュールさせるように構成された命令を備える、請求項３７に記載のコンピュータプログラム製品。
【請求項３９】
前記隣接マクロセルが最も強い隣接マクロセルである、請求項３１に記載のコンピュータプログラム製品。
【請求項４０】
前記プロセッサに識別させるように構成された前記命令は、前記プロセッサに、複数の隣接マクロセルと前記隣接マクロセルの複数のＴＤＭチャネルオフセットとを識別させるようにさらに構成されており、
前記プロセッサに前記送信スケジュールを生成させるように構成された前記命令は、前記プロセッサに、前記複数の隣接マクロセルのチャネルオフセットに従って判断された前記複数の隣接マクロセルの前記送信間隔の少なくとも一部分について前記第１の送信が省略されるように前記送信スケジュールを生成させるようにさらに構成されている、
請求項３１に記載のコンピュータプログラム製品。
【発明の詳細な説明】
【関連出願の相互参照】
【０００１】
本出願は、すべての目的のためにその全体が参照により本明細書に組み込まれる、２０１０年６月１６日に出願された「ビーコンシグナリング方法および装置(BEACON SIGNALING METHOD AND APPARATUS)」と題する米国仮出願第６１／３５５，４９８号の利益を主張する。
【背景】
【０００２】
ワイヤレス通信デバイスは、今日の社会において信じられないほどに普及している。たとえば、人々は、セルラー電話、スマートフォン、携帯情報端末、ラップトップコンピュータ、ページャ、タブレットコンピュータなどを使用して、無数のロケーションからデータをワイヤレスに送信および受信する。さらに、ワイヤレス通信技術における進歩は、今日のワイヤレス通信デバイスの汎用性を大幅に高め、ユーザは、従来は複数のデバイスまたはより大きい非ポータブル機器のいずれかを必要とした、単一のポータブルデバイスから広範囲のタスクを実行することが可能になった。
【０００３】
モバイルデバイスは、対応する地理的エリアに通信カバレージを与えるネットワークセルのシステムを介して、セルラー通信環境内で通信する。そのようなネットワークは、従来は、（たとえば、半径２ｋｍ超をカバーするなど）かなり大きい地理的エリアに通信カバレージを与える、マクロセルを含む。建築物または他の屋内エリアに対応するものなど、より限られたエリアのネットワークカバレージおよび容量を改善するために、フェムトセルなど、より小規模のセルが採用され得る。フェムトセルは、通信ネットワークのカバレージをフェムトセルのカバレージエリア内の限られた数のデバイスまで延長するために、ブロードバンド接続（たとえば、デジタル加入者回線（ＤＳＬ）、ケーブル、光ファイバーなど）を介して、関連する通信ネットワークに接続する。
【０００４】
アクセス端末(access terminals)（ＡＴ）がフェムト基地局(femto base stations)（ＢＳs）とも呼ばれるフェムトセルを見つけるのを支援するために、展開されたフェムトセルをもつワイヤレス通信ネットワークにおいてビーコンが利用される。マクロネットワークにおいて複数のキャリアが利用可能であるとき、ＡＴは、これらのキャリアのうちの１つの上でアイドルモードにあり得る。ＡＴが関連するフェムトセルの範囲内に入ると、そのＡＴは、様々な機構を利用して、フェムトＢＳを検出し、フェムトセルの周波数にリダイレクトする。これを達成するために、フェムトＢＳは、パイロット情報と、媒体アクセス制御（ＭＡＣ）バーストと、制御チャネル（ＣＣ）情報とを含むビーコンを、各マクロ周波数上で放射する。ビーコンのＣＣオーバーヘッドメッセージはアイドルモードＡＴをフェムトセル周波数上にリダイレクトする。しかしながら、これらのビーコンは、マクロネットワークのダウンリンクに干渉する可能性を有する。
【発明の概要】
【０００５】
本明細書で説明するワイヤレス通信システム内の送信を管理するためのシステムは、隣接マクロセルと隣接マクロセルの時分割多重（ＴＤＭ）チャネルオフセットとを識別するように構成されたネイバーセル分析モジュールと、なお、チャネルオフセットはシグナリングチャネルまたはオーバーヘッドチャネルのうちの少なくとも１つに対応する；ネイバーセル分析モジュールと、ネイバーセル分析モジュールに通信上結合され(communicatively coupled)、隣接マクロセルのチャネルオフセットとは異なるローカルチャネルオフセット(a local channel offset)を選択するように構成されたオフセット選択モジュールと；ネイバーセル分析モジュールとオフセット選択モジュールとに通信上結合され、隣接マクロセルの送信間隔(transmission intervals)の少なくとも一部分について第１の送信が省略されるように送信スケジュールを生成するように構成されたスケジューラモジュールと；を含み、隣接マクロセルの送信間隔は、隣接マクロセルのチャネルオフセットに従って識別され、第１の送信は、パイロット送信、媒体アクセス制御（ＭＡＣ）送信またはトラフィック送信のうちの少なくとも１つを含む。
【０００６】
本システムの実装形態は、以下の特徴のうちの１つまたは複数を含み得る。オフセット選択モジュールは、ローカルチャネルオフセットと隣接マクロセルのチャネルオフセットとの間の時間的距離が最大にされるようなローカルチャネルオフセットを選択するようにさらに構成される。隣接マクロセルのチャネルオフセットは０と３との間の整数Ｎであり、ローカルチャネルオフセットは（Ｎ＋２）ｍｏｄ４に従って選択される。スケジューラモジュールは、データがローカルに送信されないインターレースに対応する隣接マクロセルの送信間隔の少なくとも一部分について第１の送信が省略されるように送信スケジュールを生成するようにさらに構成される。スケジューラモジュールは、隣接マクロセルの同期制御チャネル(a synchronous control channel)（ＳＣＣ）境界に対応する時間間隔の前のウォームアップ期間の間に第１の送信をスケジュールするようにさらに構成される。スケジューラモジュールは、隣接マクロセルによって示されるネイバーリストサイズに応じて、隣接マクロセルのＳＣＣ境界に対応する時間間隔を越えてウォームアップ期間を延長するようにさらに構成される。スケジューラモジュールは、ローカルチャネルオフセットに従って定義された各ローカルチャネルスロットにおいてパイロットバースト送信とトラフィックバースト送信とをスケジュールするようにさらに構成される。スケジューラモジュールは、各ローカルチャネルスロットの直前の第１のハーフスロットまたは各ローカルチャネルスロットの直後の第２のハーフスロットのうちの１つまたは複数においてパイロットバースト送信をスケジュールするようにさらに構成される。隣接マクロセルは最も強い隣接マクロセル(a strongest neighboring macrocell)である。ネイバーセル分析モジュールは、複数の隣接マクロセルと隣接マクロセルの複数のＴＤＭチャネルオフセットとを識別するようにさらに構成され、スケジューラモジュールは、複数の隣接マクロセルのチャネルオフセットに従って判断された複数の隣接マクロセルの送信間隔の少なくとも一部分について第１の送信が省略されるように送信スケジュールを生成するようにさらに構成される。
【０００７】
本明細書で説明する方法は、隣接マクロセルと隣接マクロセルのＴＤＭチャネルオフセットとを識別することことと、なお、チャネルオフセットはシグナリングチャネルまたはオーバーヘッドチャネルのうちの少なくとも１つに対応する；隣接マクロセルのチャネルオフセットとは異なるローカルチャネルオフセットを選択することと；隣接マクロセルの送信間隔の少なくとも一部分について第１の送信が省略されるように送信スケジュールを生成することと；を含み、隣接マクロセルの送信間隔は、隣接マクロセルのチャネルオフセットに従って識別され、第１の送信は、パイロット送信、ＭＡＣ送信またはトラフィック送信のうちの少なくとも１つを含む。
【０００８】
本方法の実装形態は、以下の特徴のうちの１つまたは複数を含み得る。ローカルチャネルオフセットと隣接マクロセルのチャネルオフセットとの間の時間的距離が最大にされるようなローカルチャネルオフセットを選択すること。隣接マクロセルのチャネルオフセットは０と３との間の整数Ｎであり、ローカルチャネルオフセットを選択することは、（Ｎ＋２）ｍｏｄ４に従ってローカルチャネルオフセットを選択することを含む。データがローカルに送信されないインターレースに対応する隣接マクロセルの送信間隔の少なくとも一部分について第１の送信が省略されるように送信スケジュールを生成すること。隣接マクロセルのＳＣＣ境界に対応する時間間隔の前のウォームアップ期間の間に第１の送信をスケジュールすること。隣接マクロセルによって示されるネイバーリストサイズに応じて、隣接マクロセルのＳＣＣ境界に対応する時間間隔を越えてウォームアップ期間を延長すること。ローカルチャネルオフセットに従って定義された各ローカルチャネルスロットにおいてパイロットバースト送信とトラフィックバースト送信とをスケジュールすること。各ローカルチャネルスロットの直前の第１のハーフスロットまたは各ローカルチャネルスロットの直後の第２のハーフスロットのうちの１つまたは複数においてパイロットバースト送信をスケジュールすること。隣接マクロセルは最も強い隣接マクロセルである。複数の隣接マクロセルと隣接マクロセルの複数のＴＤＭチャネルオフセットとを識別すること、および複数の隣接マクロセルのチャネルオフセットに従って判断された複数の隣接マクロセルの送信間隔の少なくとも一部分について第１の送信が省略されるように送信スケジュールを生成すること。
【０００９】
本明細書で説明するワイヤレス通信システム内の送信に関連する干渉を制御するためのシステムは、隣接マクロセルを識別するための手段と、隣接マクロセルのＴＤＭチャネルオフセットを識別するための手段と、隣接マクロセルのチャネルオフセットとは異なるローカルチャネルオフセットを選択するための手段と、隣接マクロセルの送信間隔の少なくとも一部分について第１の送信が省略されるように送信スケジュールを生成するための手段とを含み、隣接マクロセルの送信間隔は、隣接マクロセルのチャネルオフセットに従って識別され、第１の送信は、パイロット送信、ＭＡＣ送信またはトラフィック送信のうちの少なくとも１つを含む。
【００１０】
本システムの実装形態は、以下の特徴のうちの１つまたは複数を含み得る。ローカルチャネルオフセットを選択するための手段は、ローカルチャネルオフセットと隣接マクロセルのチャネルオフセットとの間の時間的距離が最大にされるようなローカルチャネルオフセットを選択するように構成される。隣接マクロセルのチャネルオフセットは０と３との間の整数Ｎであり、ローカルチャネルオフセットは（Ｎ＋２）ｍｏｄ４に従って選択される。送信スケジュールを生成するための手段は、データがローカルに送信されないインターレースに対応する隣接マクロセルの送信間隔の少なくとも一部分について第１の送信が省略されるように送信スケジュールを生成するように構成される。送信スケジュールを生成するための手段は、隣接マクロセルのＳＣＣ境界に対応する時間間隔の前のウォームアップ期間の間に第１の送信をスケジュールするように構成される。送信スケジュールを生成するための手段は、隣接マクロセルによって示されるネイバーリストサイズに応じて、隣接マクロセルのＳＣＣ境界に対応する時間間隔を越えてウォームアップ期間を延長するようにさらに構成される。送信スケジュールを生成するための手段は、ローカルチャネルオフセットに従って定義された各ローカルチャネルスロットにおいてパイロットバースト送信とトラフィックバースト送信とをスケジュールするように構成される。送信スケジュールを生成するための手段は、各ローカルチャネルスロットの直前の第１のハーフスロットまたは各ローカルチャネルスロットの直後の第２のハーフスロットのうちの１つまたは複数においてパイロットバースト送信をスケジュールするようにさらに構成される。隣接マクロセルは最も強い隣接マクロセルである。隣接マクロセルを識別するための手段は、複数の隣接マクロセルを識別するように構成され、ＴＤＭチャネルオフセットを識別するための手段は、隣接マクロセルの複数のＴＤＭチャネルオフセットを識別するように構成され、送信スケジュールを生成するための手段は、複数の隣接マクロセルのチャネルオフセットに従って判断された複数の隣接マクロセルの送信間隔の少なくとも一部分について第１の送信が省略されるように送信スケジュールを生成するように構成される。
【００１１】
本明細書で説明するコンピュータプログラム製品は、プロセッサ可読媒体上に常駐し、プロセッサに、隣接マクロセルと隣接マクロセルのＴＤＭチャネルオフセットとを識別させ、隣接マクロセルのチャネルオフセットとは異なるローカルチャネルオフセットを選択させ、隣接マクロセルの送信間隔の少なくとも一部分について第１の送信が省略されるように送信スケジュールを生成させるように構成されたプロセッサ可読命令を含み、隣接マクロセルの送信間隔は、隣接マクロセルのチャネルオフセットに従って識別され、第１の送信は、パイロット送信、ＭＡＣ送信またはトラフィック送信のうちの少なくとも１つを含む。
【００１２】
本コンピュータプログラム製品の実装形態は、以下の特徴のうちの１つまたは複数を含み得る。プロセッサに、ローカルチャネルオフセットを選択させるように構成された命令は、プロセッサに、ローカルチャネルオフセットと隣接マクロセルのチャネルオフセットとの間の時間的距離が最大にされるようなローカルチャネルオフセットを選択させるようにさらに構成される。隣接マクロセルのチャネルオフセットは０と３との間の整数Ｎであり、ローカルチャネルオフセットを選択することは、（Ｎ＋２）ｍｏｄ４に従ってローカルチャネルオフセットを選択することを備える。プロセッサに、送信スケジュールを生成させるように構成された命令は、プロセッサに、データがローカルに送信されないインターレースに対応する隣接マクロセルの送信間隔の少なくとも一部分について第１の送信が省略されるように送信スケジュールを生成させるように構成された命令を備える。プロセッサに、送信スケジュールを生成させるように構成された命令は、プロセッサに、隣接マクロセルのＳＣＣ境界に対応する時間間隔の前のウォームアップ期間の間に第１の送信をスケジュールさせるように構成された命令を備える。プロセッサに、送信スケジュールを生成させるように構成された命令は、プロセッサに、隣接マクロセルによって示されるネイバーリストサイズに応じて、隣接マクロセルのＳＣＣ境界に対応する時間間隔を越えてウォームアップ期間を延長させるように構成された命令を備える。プロセッサに、送信スケジュールを生成させるように構成された命令は、プロセッサに、ローカルチャネルオフセットに従って定義された各ローカルチャネルスロットにおいてパイロットバースト送信とトラフィックバースト送信とをスケジュールさせるように構成された命令を備える。プロセッサに、送信スケジュールを生成させるように構成された命令は、プロセッサに、各ローカルチャネルスロットの直前の第１のハーフスロットまたは各ローカルチャネルスロットの直後の第２のハーフスロットのうちの１つまたは複数においてパイロットバースト送信をスケジュールさせるように構成された命令を備える。隣接マクロセルは最も強い隣接マクロセルである。プロセッサに、識別させるように構成された命令は、プロセッサに、複数の隣接マクロセルと隣接マクロセルの複数のＴＤＭチャネルオフセットとを識別させるようにさらに構成され、プロセッサに、送信スケジュールを生成させるように構成された命令は、プロセッサに、複数の隣接マクロセルのチャネルオフセットに従って判断された複数の隣接マクロセルの送信間隔の少なくとも一部分について第１の送信が省略されるように送信スケジュールを生成させるようにさらに構成される。
【００１３】
本明細書で説明するアイテムおよび／または技法は、以下の機能、ならびに言及しない他の機能のうちの１つまたは複数を提供し得る。新たなおよび／または使われていないフェムトセルを探索することに関連するモバイルデバイス電力の利用は低減されるかまたはなくされ得る。フェムトセル使用に関連するモバイルデバイス効率は高まり得る。効率的なフェムトセル近接度データ更新は、ワイヤレス通信技術にフレキシブルに適用され得、デバイス能力に従ってモバイルデバイスおよび／または通信ネットワークにおいて実装され得る。ネットワーク容量は、余分な近接度情報報告の低減によって増加され得る。少なくとも１つのアイテム／技法効果ペアについて説明したが、言及した効果が言及した手段以外の手段によって実現されることが可能であり得、言及したアイテム／技法は必ずしも言及した効果を生じ得るとは限らない。
【図面の簡単な説明】
【００１４】
【図１】ワイヤレス電気通信システムの概略図。
【図２】フェムトセルを採用するワイヤレス通信システムのブロック図。
【図３】図２に示すフェムトセルの構成要素のブロック図。
【図４】ワイヤレス通信システムにおいてフェムトセルビーコンシグナリングを管理するためのシステムの部分機能ブロック図。
【図５】ワイヤレス通信システム内での通信のために利用され得る例示的なパケットフォーマットの例示的な図。
【図６】ワイヤレス通信システムにおいてフェムトセルのビーコン送信を管理するための例示的な技法を示す図。
【図７】ワイヤレス通信システムにおいてフェムトセルのビーコン送信を管理するための例示的な技法を示す図。
【図８】ワイヤレス通信システムにおいてフェムトセルによるビーコンの送信を制御するプロセスのブロック流れ図。
【詳細な説明】
【００１５】
図面を参照しながら以下の説明を行う。図面全体にわたって、同様の要素を指すのに同様の参照番号を使用する。本明細書では、１つまたは複数の技法の様々な詳細について説明するが、他の技法も可能である。いくつかの例では、様々な技法の説明を円滑にするために、よく知られている構造およびデバイスをブロック図の形態で示す。
【００１６】
本明細書では、ワイヤレス通信システムにおける、マクロ制御チャネルへの干渉を回避する、フェムトセル、または他のより小さいセルによるビーコンシグナリングのための技法について説明する。フェムトセルによって送信されたビーコンが、そのフェムトセルを含む地理的エリアにカバレージを与えるマクロネットワークのダウンリンクに干渉する可能性を有するので、そのようなビーコンの送信電力を管理することが望ましい。本明細書の技法は、全体的なビーコン送信電力を調整することなしに、たとえば、マクロネットワークＣＣなど、マクロネットワークオーバーヘッドおよび／またはシグナリングチャネルに干渉することを回避するビーコンシグナリング方法を提供する。これは、たとえば、ゲートビーコン送信方式を用いたビーコンＣＣオフセット選択の選択された組合せを使用することによって達成される。この技法、ならびにビーコン送信に適用され得る他の技法について以下でさらに詳細に説明する。
【００１７】
図１を参照すると、ワイヤレス通信システム１０は、モバイルアクセス端末(mobile access terminals)１２（ＡＴｓ）と、セル１６中に配設された送受信基地局(base transceiver stations)（ＢＴＳｓ）または基地局(base stations)１４と、基地局コントローラ（ＢＳＣ）１８とを含む。システム１０は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、直交周波数分割多元接続（ＯＦＤＭＡ）信号、シングルキャリア周波数分割多元接続（ＳＣ−ＦＤＭＡ）信号などであり得る。各被変調信号は、異なるキャリア上で送られ得、パイロット、オーバーヘッド情報、データなどを搬送し得る。
【００１８】
基地局１４は、アンテナを介してモバイルデバイス１２とワイヤレス通信することができる。基地局１４の各々は、基地局、アクセスポイント、アクセスノード（ＡＮ）、ノードＢ、発展型ノードＢ（ｅＮＢ）などと呼ばれることもある。基地局１４は、複数のキャリアを介してＢＳＣ１８の制御下でモバイルデバイス１２と通信するように構成される。基地局１４の各々は、それぞれの地理的エリア、ここでは、それぞれのセル１６に通信カバレージを与えることができる。基地局１４のセル１６の各々は、基地局アンテナに応じて複数のセクタに区分される。
【００１９】
システム１０は、マクロ基地局１４のみを含み得、または異なるタイプの基地局１４、たとえば、マクロ基地局、ピコ基地局、および／またはフェムト基地局などを有することができる。マクロ基地局は、比較的大きい地理的エリア（たとえば、半径数キロメートル）をカバーし得、サービスに加入している端末による無制限アクセスを可能にし得る。ピコ基地局は、比較的小さい地理的エリア（たとえば、ピコセル）をカバーし得、サービスに加入している端末による無制限アクセスを可能にし得る。フェムト基地局またはホーム基地局は、比較的小さい地理的エリア（たとえば、フェムトセル）をカバーし得、フェムトセルとの関連を有する端末（たとえば、家庭内のユーザ用の端末）による制限付きアクセスを可能にし得る。
【００２０】
モバイルデバイス１２はセル１６全体に分散され得る。モバイルデバイス１２は、端末、移動局、モバイルデバイス、ユーザ機器（ＵＥ）、加入者ユニットなどと呼ばれることがある。図１に示されたモバイルデバイス１２は、セルラー電話とワイヤレスルータとを含むが、携帯情報端末(personal digital assistants)（ＰＤＡs）、他のハンドヘルドデバイス、ネットブック、ノートブックコンピュータなどをも含むことができる。
【００２１】
図２を参照すると、例示的なネットワーク環境内でフェムトセル(femtocells)３０の展開を可能にする通信システム２０が示されている。システム２０は、（アクセスポイント基地局(access point base stations)（ＡＰＢＳs）、ホームノードＢユニット(Home Node B units)（ＨＮＢs）、ホーム発展型ノードＢユニット(Home Evolved Node B units)（ＨｅＮＢs）などとも呼ばれる）複数のフェムトセル３０を含むことができる。フェムトセル３０は、小規模ネットワーク環境２２（たとえば、ユーザレジデンスまたはオフィスビル、店舗もしくは他の企業などの他の好適なエリア）に関連する。フェムトセル３０はまた、関連するおよび／または異種モバイルデバイス１２をサービスするように構成され得る。ここで、フェムトセル３０は、デジタル加入者回線（ＤＳＬ）ルータ、ケーブルモデム、光ファイバー接続などによって実装されるブロードバンド接続を介して、インターネット２４とモバイル事業者コアネットワーク(a mobile operator core network)２６とに結合され得る。フェムトセルまたはフェムトセル３０の所有者(An owner of a femtocell or femtocell)は、モバイル事業者コアネットワーク２６を介して提供されるモバイル通信サービスに加入することができる。したがって、モバイルデバイス１２は、マクロセルラー環境(a macro cellular environment)２８中と宅内小規模ネットワーク環境(a residential small scale network environment)２２中の両方において動作することができる。
【００２２】
モバイルデバイス１２は、場合によっては、マクロセルモバイルネットワーク２８に加えて、フェムトセル３０のセット（たとえば、小規模ネットワーク環境２２内に常駐するフェムトセル３０）によってサービスされ得る。本明細書で定義するように、「ホーム」ＡＰＢＳ(a “home” APBS)は、モバイルデバイスが動作することを許可された基地局(a base station on which a mobile device is authorized to operate)であり、ゲストＡＰＢＳ(a guest APBS)は、モバイルデバイスが動作することを一時的に許可された基地局(a base station on which a mobile device is temporarily authorized to operate)を指し、異種ＡＰＢＳ(an alien APBS)は、モバイルデバイスが動作することを許可されていない基地局(a base station on which the mobile device is not authorized to operate)である。フェムトセル３０は、単一の周波数上に展開され、またはそれぞれのマクロセル周波数と重なり得る複数の周波数上に展開され得る。
【００２３】
次に図３を参照すると、図２に示したフェムトセル３０の例示的な１つは、プロセッサ３２と、ソフトウェア３６を含むメモリ３４と、バックホールインターフェース(a backhaul interface)３８と、１つまたは複数のトランシーバ４０とを含むコンピュータシステムを備える。トランシーバ４０は、モバイルデバイス１２および／または基地局１４と双方向に通信するように構成された１つまたは複数のアンテナ４２を含む。ここで、プロセッサ３２は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスである。メモリ３４は、ランダムアクセスメモリ（ＲＡＭ）および読取り専用メモリ（ＲＯＭ）などの非一時的記憶媒体を含む。メモリ３４は、実行されたとき、本明細書で説明する様々な機能を実行することをプロセッサ３２に行わせるように構成された命令を含んでいるコンピュータ可読、コンピュータ実行可能ソフトウェアコードであるソフトウェア３６を記憶する。代替的に、ソフトウェア３６は、プロセッサ３２によって直接的に実行可能でないことがあるが、たとえば、コンパイルされ、実行されたとき、機能を実行することをコンピュータに行わせるように構成される。
【００２４】
バックホールインターフェース３８は、フェムトセル３０とフェムトセル３０に関連する通信ネットワークとの間の通信を可能にする。バックホールインターフェース３８は、ワイヤードおよび／またはワイヤレス通信手段を利用して、フェムトセル３０とそのネットワークとの間の通信を可能にする。たとえば、バックホールインターフェース３８は、たとえば、ケーブル、デジタル加入者回線（ＤＳＬ）、光ファイバーなどによって実装される、上にあるブロードバンド通信ネットワークを介して、フェムトセル３０とそのネットワークとの間の通信を可能にすることができる。バックホールインターフェース３８は、フェムトセル管理システムなどを介してなど、直接または間接的にフェムトセル３０とそのネットワークとの間の通信を可能にすることができる。
【００２５】
通信システム５０中のフェムトセル３０または他のより小さいセルは、図４に示すようにビーコンおよび／または他の情報の送信を管理するように動作することができる。図４のフェムトセル３０は、隣接マクロセルまたは他のネイバーセル(a neighboring macrocell or other neighbor cell)５２と、ネイバーセル５２の時分割多重（ＴＤＭ）オーバーヘッドまたはシグナリングチャネルオフセットとを識別するように構成されたネイバーセル分析モジュール６０を含む。フェムトセル３０は、ネイバーセル５２のチャネルオフセットとは異なるローカルオフセットを選択するように構成されたオフセット選択モジュール６２、ならびにネイバーセル５２の送信間隔の少なくとも一部分についてパイロット送信および／またはフェムトセル３０による他のアウトゴーイング送信(outgoing transmissions)（たとえば、トランシーバ４０を介して行われる送信）が省略されるように送信スケジュールを生成するように構成されたスケジューラモジュール６４をさらに含む。ネイバーセル５２の送信間隔は、たとえば、ネイバーセル５２から受信された信号に基づいて、ネイバーセル５２のチャネルオフセットに従って識別される。このようにしてフェムトセル３０における送信を管理することによって、ネイバーセル５２への干渉は実質的に回避され得る。図４に示したシステムに従って送信を管理するための技法について以下でさらに詳細に説明する。
【００２６】
Ｅｖｏｌｕｔｉｏｎ−Ｄａｔａ  Ｏｐｔｉｍｉｚｅｄ（ＥＶ−ＤＯ）システムなどのシステム同期を用いたＴＤＭＡシステムでは、ダウンリンク通信チャネル（たとえば、ネットワークセルから１つまたは複数のネットワークユーザへの通信チャネル）は、パイロットチャネルと、ＭＡＣチャネルと、トラフィックチャネルとを含む。ダウンリンク送信は、時分割多重を使用して組み合わせられる、パイロットバーストと、ＭＡＣバーストと、トラフィックバーストとを含む。送信は、任意の好適な長さ（たとえば、１．６７ｍｓ、または２０４８チップ）であり得る、スロットなどと呼ばれるユニットに従って時間的に構造化される。送信の各ハーフスロット内で、ハーフスロットの中央に（たとえば、９６チップまたは任意の他の好適な長さの）パイロットバーストが存在し得る。パイロットバーストは、２つのＭＡＣバースト（たとえば、各々が６４チップの長さをもつ）に隣接する。ハーフスロットの残りのチップは、データトラフィックによって占有される。上記の送信構造は図５によって示されている。ただし、図５には、利用され得る例示的な送信構造を示しているにすぎず、その他の構造が可能であることに留意されたい。
【００２７】
図５に示した送信構造内のトラフィックチャネル上で、トラフィックチャネルパケットに時間ダイバーシティを与えるためにスロットにわたるインターリービングが使用される。ダウンリンク上で利用可能な４つのインターリーブがあり、その各々は、スロット中のそれの対応するトラフィックチャネルオフセットによって参照される。
【００２８】
同期制御チャネル(The Synchronous Control Channel)（ＳＣＣ）７０は、ダウンリンク上でオーバーヘッドメッセージを送るために使用されるトラフィックチャネルの一部分である。ＳＣＣデータパケットは、一定の間隔で、たとえば、２５６スロットごとに１回、トラフィックチャネルバーストを通して送られる。ネットワーク中の各セクタは、各ＳＣＣパケット送信のために特定のトラフィックチャネルオフセットを使用することができ、このコンテキストでは、オフセットはＣＣオフセットとも呼ばれる。シグナリングまたはオーバーヘッドチャネルオフセットはＳＣＣ境界に関して測定され、これは一定の間隔で（たとえば、２５６スロットごとに）行われ、ネットワーク中のすべてのセクタがこの境界と同期される。異なるチャネルオフセットが異なるセクタにわたって使用され得るか、または単一のチャネルオフセットがネットワーク全体の全部または一部のために使用され得る。時間的なＳＣＣ７０のための例示的な送信方式、ならびにＳＣＣ７０によって利用され得る例示的な構造が図５にも示されている。特に、図５に、ＳＣＣパケットが３のＣＣオフセットについて示される場合を示す。送信が行われる各スロットについて、パイロットバースト、ＭＡＣバーストおよびデータバーストの例示的な構造が図５によってさらに示されている。データが所与のスロット中に送られるべきでない場合、トラフィックバーストは空である。
【００２９】
フェムトセル３０はビーコンを送信することができるが、これは、アイドルモバイルデバイス１２（図５に図示せず）がフェムトセルＢＳを見つけるのを支援するダウンリンク上での送信である。アイドルＡＴ１２が関連するフェムトセル３０の範囲内に入ると、ＡＴ１２は、そのフェムトセル３０のビーコンを検出し、アイドルハンドオフを実行する。ハンドオフが完了すると、ＡＴ１２は、次いで、ビーコンから送られたオーバーヘッドメッセージを復号することができる。これらのオーバーヘッドメッセージから、ＡＴ１２は、フェムトセル３０の周波数に切り替えるようにＡＴ１２に命令するリダイレクトメッセージを取得する。
【００３０】
ＡＴ１２がビーコンからのメッセージを復号するために、ビーコンのためのＳＣＣ境界は、マクロネットワークのＳＣＣ境界と同期される。この同期は、たとえば、衛星測位システム（ＳＰＳ）（たとえば、全地球測位システム（ＧＰＳ）、ＧＬＯＮＡＳＳ、Ｇａｌｉｌｅｏ、Ｂｅｉｄｏｕなど）、またはフェムトセル３０がマクロネットワーク送信を監視することを可能にするネットワークリッスンモードによって達成され得る。ビーコンがＣＣメッセージのみを搬送する一例では、ビーコンは、非ＣＣパケットに関連するＭＡＣバーストまたはパイロットバースト中に送信する必要はない。他の場合には、以下で説明するように、パイロットバーストスロットは、アイドルハンドオフを可能にするためにＳＣＣ境界の直前のウォームアップのために利用される。
【００３１】
図４に示したフェムトセル３０およびネイバーセル５２は、ダウンリンクおよび／またはアップリンク送信のための異なる周波数を使用して動作することができる。しかしながら、モバイルデバイス１２が所与のフェムトセル３０を検出することを可能にするために、フェムトセル３０は、ネイバーセル５２の周波数を使用してビーコンを送信する。これにより、場合によっては、図６によって示されるように、ネイバーセル５２の送信とフェムトセル３０のパイロットバースト(pilot bursts)７２との間に衝突(collisions)が生じ、ネイバーセル５２のユーザへの干渉をもたらす。この干渉を制限するために、以下で説明するように、フェムトセル３０によって様々な機構が展開され得る。以下で提供される技法のいくつかはＥＶ−ＤＯシステムのコンテキストにおいて説明されるが、同様の技法が、信号が時分割多重を使用した送信のために処理され、システム内のそれぞれのセルが時間的に同期させられる通信システムに適用され得る。たとえば、本技法は、システム内のセルが時間的なスケジュールに従って信号を送信するように構成され得るＣＤＭＡシステムにも適用することができる。他のシステム構成も可能である。
【００３２】
フェムトセルは、少なくとも以下の方法においてマクロシグナリングまたはオーバーヘッドチャネルへの干渉を回避するために、ビーコン送信を行うことができる。一態様では、フェムトセル３０は、マクロネットワークチャネルオフセットから分離された代替チャネルオフセット上でビーコンを送る。マクロネットワークチャネルオフセットは、たとえば、最も近いマクロセクタおよび／または他のメトリックのチャネルオフセットに従って判断され得る。さらに、フェムトセル３０は、マクロシグナリングまたはオーバーヘッドチャネルパケットに関連するパイロットバーストとＭＡＣバーストとを含む、マクロシグナリングまたはオーバーヘッドチャネルパケットに干渉することを回避するビーコン送信のためのゲートパターンを適用することができる。０または０に近い電力送信は、たとえば、０のデジタル利得を適用すること、ビーコンの送信チェーンを閉じることなどによってゲートを介して達成され得る。これらの技法を利用することによって、アイドルモバイルデバイス１２をフェムトセル３０にリダイレクトするのに十分である間、ビーコン送信は、マクロシグナリングまたはオーバーヘッドチャネルとの干渉を回避するように構成される。
【００３３】
ビーコン信号の送信を管理するためにフェムトセル３０によって利用され得る例示的なアルゴリズムは、次のように動作する。最初に、フェムトセル３０は、どのオフセットが（１つまたは複数の）ネイバーセル５２によって使用されるかを検出する。マクロネイバー（たとえば、最も強いネイバーセル５２など）が識別され、それのチャネルオフセットは可変ＣＣ＿ｏｆｆｓｅｔ＿ｍａｃｒｏに割り当てられる。これは、たとえば、フェムトセル３０におけるネイバーセル分析モジュール６０および／または他の手段によって実行され得る。次に、フェムトセルビーコン信号について、（１つまたは複数の）ネイバーセル５２のチャネルオフセットとは異なるチャネルオフセットが選択される。このオフセットは、可変ＣＣ＿ｏｆｆｓｅｔ＿ｂｅａｃｏｎに割り当てられる。４つの可能なオフセットを用いたシナリオでは、フェムトセルオフセットは、たとえば、ＣＣ＿ｏｆｆｓｅｔ＿ｂｅａｃｏｎ＝（ＣＣ＿ｏｆｆｓｅｔ＿ｍａｃｒｏ＋２）ｍｏｄ４のように、最も強いネイバーセル５２のオフセットからの距離を最大にするように（たとえば、オフセット選択モジュール６２または他の手段によって）選定され得る。オフセットを選択するための他の技法も可能である。
【００３４】
さらに、データがビーコンからフェムトセル３０によって送られていないインターレース中に、図７によって示されるように、スケジューラモジュール６４または他の好適な手段が部分パイロットのみの送信を可能にすることができる。たとえば、スケジューラモジュール６４は、ＳＣＣ境界に達するまで、ＳＣＣ境界より前の１８〜２４スロットについて、フェムトセル３０がビーコンパイロットバースト７２を送信することを開始するようにパイロットゲートパターンを実装することができる。ＭＡＣバーストおよびトラフィックバーストは、この持続時間にわたってビーコンから送信されることも送信されないこともある。この動作は、ビーコンウォームアップ(beacon warmup)８０と呼ばれ、ビーコンセクタへのアイドルハンドオフのために利用される。図７によってさらに示されるように、ビーコンパケットの各スロットについて、パケットのパイロットバーストとトラフィックバーストとが送信される。さらに、ビーコンオフセットの直前のチャネルの第２のハーフスロットのためのパイロットバースト、ならびにビーコンオフセットの直後のチャネルの第１のハーフスロットのためのパイロットバーストは、さらに、関連するモバイルデバイス１２のパイロット発見を助けるために送信される。すべての他のスロットについて、トラフィックバースト、パイロットバーストまたはＭＡＣバーストは送信されない。したがって、図７によって示されるように、フェムトセル３０は、ネイバーセル５２が送信を行うスロット、たとえば、スロット３およびスロット７の上でネイバーセル５２に干渉することを回避する。上記のプロシージャでは、ネイバーセル分析モジュール６０、オフセット選択モジュール６２および／またはスケジューラモジュール６４は、メモリ３４に記憶され、プロセッサ３２によって実行されるソフトウェア３６によってなど、様々な手段によって実装され得る。
【００３５】
上記のプロシージャでは、ＡＴ１２がＳＣＣ境界より前の新たなセクタを探索するので、ビーコンウォームアップ８０が利用される。したがって、ビーコンは、それをＡＴ１２がＳＣＣ境界より前にフェムトセル３０にハンドオフするために送信される。ビーコンパケットのパイロットバーストとトラフィックバーストおよびビーコンパケットに隣接するパイロットバーストは、ビーコンパケットを復号するときに実行されるチャネル推定を助けるのと同時に、マクロシグナリングパケットまたはオーバーヘッドチャネルパケットを含まないスロットへの干渉を制限するので、送信される。バーストは、残りのスロット上での干渉を回避するために、残りのスロット上で消される。
【００３６】
図６に戻ると、標準送信を用いたビーコンが示されている。マクロ送信について、ＳＣＣパケットのみが示されているが、パイロットバースト、ＭＡＣバーストおよびデータバーストはあらゆるスロット上で送信されると仮定する。ビーコン送信について、図６に示したすべての信号が送信される。
【００３７】
対照的に、上記で提供されたオフセット選択方式を仮定すると、図６に示したマクロシグナリングまたはオーバーヘッドチャネル送信でオーバーレイされたビーコン送信の上記のプロパティは図７によって示されている。図６と図７との間の比較は、図６では明らかであり、図７では実質的になくされる、マクロＳＣＣへのビーコンパイロット干渉の低減を示す。
【００３８】
上記の技法について、単一のネイバーセル５２をもつシステムに関して説明したが、上記の技法はまた、２つ以上のネイバーセル５２への干渉を低減するために拡張され得る。複数のネイバーセル５２が同じＴＤＭシグナリングまたはオーバーヘッドチャネルオフセットを利用する場合、オフセット選択およびスケジューリングは、上記に示したのと同様にしてフェムトセル３０によって実行され得る。ネイバーセル５２のＴＤＭシグナリングまたはオーバーヘッドチャネルオフセットが異なる場合、フェムトセル３０は、それのオフセット選択とスケジューリングとにおける関係するオフセットの各々を考慮することができる。
【００３９】
さらに、所与のフェムトセル３０に関連するネイバーリストが大きい（たとえば、１６よりも大きいサイズを有するなど）場合、上記で説明したビーコンウォームアップ８０は、すべての場合においてＡＴ１２がビーコンパイロットを発見するのには十分に長くないことがある。これが、たとえば、ネイバーリストサイズに応じて、ネイバーセル５２によって広告されたかまたは場合によっては示された場合であると判断された場合、ビーコンウォームアップ８０は、ビーコンパイロット上での発見およびハンドオフの確率を改善するために、ＳＣＣ境界の後の最初の数スロットに延長され得る。
【００４０】
次に図８を参照し、さらに図１〜図７を参照すると、ワイヤレス通信システムにおいてフェムトセル３０によるビーコンの送信を制御するプロセス９０は、図示の段階を含む。ただし、プロセス９０は、一例にすぎず、限定的なものではない。プロセス９０は、たとえば、段階を追加、除去、並べ替え、組み合わせ、および／または同時に実行させることによって改変され得る。図示および説明したプロセス９０へのさらに他の改変が可能である。
【００４１】
段階９２において、ネイバーセル５２などの隣接マクロセルと、隣接マクロセルのＴＤＭシグナリングまたはオーバーヘッドチャネルオフセットとを識別する。次に、段階９４において、段階９２においてさらに識別されたように、隣接マクロセルのシグナリングまたはオーバーヘッドチャネルオフセットに従って、段階９２において識別された隣接マクロセルの送信間隔を識別する。段階９２および／または９４における識別動作は、たとえば、メモリ３４に記憶されたソフトウェア３６を実行するプロセッサ３２によっておよび／または他の手段によって実装され得るネイバーセル分析モジュール６０によって実行され得る。
【００４２】
段階９６において、段階９２において識別された隣接マクロセルのシグナリングまたはオーバーヘッドチャネルオフセットとは異なるローカルチャネルオフセットを選択する。段階９６におけるローカルチャネルオフセットの選択は、たとえば、メモリ３４に記憶されたソフトウェア３６を実行するプロセッサ３２によっておよび／または他の手段によって実装され得るオフセット選択モジュール６２によって実行され得る。場合によっては、ローカルチャネルオフセットと、隣接マクロセルのシグナリングまたはオーバーヘッドチャネルオフセットとの間の時間的距離を最大にするために、段階９６においてオフセットが選択され得る。たとえば、隣接マクロセルのシグナリングまたはオーバーヘッドチャネルオフセットが０と３との間の整数Ｎである場合、ローカルチャネルオフセットは（Ｎ＋２）ｍｏｄ４に従って選択され得る。さらに、図８に、１つの隣接マクロセルのシグナリングまたはオーバーヘッドチャネルオフセットが考慮されるプロセスを示すが、段階９６におけるオフセット選択は、任意の好適な数の隣接マクロセルと、それらの対応するシグナリングまたはオーバーヘッドチャネルオフセットとに適応するように変更され得る。
【００４３】
段階９８において、隣接マクロセルの送信間隔の少なくとも一部分についてパイロット送信が省略されるように送信スケジュールを生成する。送信スケジュールは、たとえば、メモリ３４に記憶されたソフトウェア３６を実行するプロセッサ３２によっておよび／または他の手段によって実装され得るスケジューラモジュール６４によって生成され得る。送信スケジュールは、場合によっては隣接マクロセルの送信と衝突するであろうパイロット送信の少なくとも一部分をゲートオフするように動作することができる。たとえば、上記で説明したように、フェムトセル３０は、指定されたスロットおよび／またはビーコンウォームアップ期間内の、およびそれに隣接するパイロットバースト、ＭＡＣバーストおよび／またはトラフィックバーストを送信し、他の時間には、パイロット送信、ＭＡＣ送信および／またはトラフィック送信をヌリングするかまたは場合によっては控えることができる。
【００４４】
図１、図２、図３、図４、図５、図６および／または図７に示した構成要素、ステップ、特徴および／または機能のうちの１つまたは複数は、単一の構成要素、ステップ、特徴または機能に再構成されおよび／または組み合わせられ得、あるいはいくつかの構成要素、ステップ、または機能で実施され得る。また、本発明から逸脱することなく追加の要素、構成要素、ステップ、および／または機能が追加され得る。図１、図２、図３、図４、図５、図６および／または図７に示した装置、デバイス、および／または構成要素は、図８で説明した方法、特徴、またはステップのうちの１つまたは複数を実行するように構成され得る。本明細書で説明する新規のアルゴリズムはまた、効率的にソフトウェアで実装されおよび／またはハードウェアに組み込まれ得る。
【００４５】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並べ替えられ得る。プロセスは、その動作が完了すると終了する。プロセスは、メソッド、関数、プロシージャ、サブルーチン、サブプログラムなどに対応し得る。プロセスが関数に対応する場合、その終了は呼び出し関数またはメイン関数への関数の復帰に対応する。
【００４６】
さらに、実施形態は、ハードウェア、ソフトウェア、ファームウェア、ミドルウェア、マイクロコード、またはそれらの任意の組合せによって実装され得る。ソフトウェア、ファームウェア、ミドルウェアまたはマイクロコードで実装される場合、必要なタスクを実行するためのプログラムコードまたはコードセグメントは記憶媒体あるいは（１つまたは複数の）他の記憶装置などの機械可読媒体に記憶され得る。プロセッサは必要なタスクを実行し得る。コードセグメントは、プロシージャ、関数、サブプログラム、プログラム、ルーチン、サブルーチン、モジュール、ソフトウェアパッケージ、クラス、または命令、データ構造、もしくはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む適切な手段を介してパス、フォワーディング、または送信され得る。
【００４７】
「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の非一時的媒体を含み得る。したがって、本明細書で説明する様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって部分的にまたは完全に実装され得る。
【００４８】
本明細書に開示する例に関連して説明する方法またはアルゴリズムは、ハードウェア、プロセッサによって実行可能なソフトウェアモジュール、または両方の組合せで、処理ユニット、プログラム命令、または他の指令の形で直接実施され得、単一のデバイスに含まれるかまたは複数のデバイスにわたって分散され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込むことができるようにプロセッサに結合され得る。代替として、記憶媒体はプロセッサに一体化され得る。
【００４９】
さらに、本明細書で開示する実施形態に関連して説明する様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。
【００５０】
本明細書で説明する本発明の様々な特徴は、本発明から逸脱することなく様々なシステムで実装され得る。上記の実施形態は例にすぎず、本発明を限定するものと解釈すべきではないことに留意されたい。実施形態についての説明は、例示的なものであり、特許請求の範囲を限定するものではない。したがって、本教示は、他のタイプの装置、ならびに多くの代替形態、修正形態、および変更形態に容易に適用できることが当業者には明らかであろう。
【図１】
2013532444.tif 000003
【図２】
2013532444.tif 000004
【図３】
2013532444.tif 000005
【図４】
2013532444.tif 000006
【図５】
2013532444.tif 000007
【図６】
2013532444.tif 000008
【図７】
2013532444.tif 000009
【図８】
2013532444.tif 000010
【国際調査報告】
2013532444.tif 000011
2013532444.tif 000012
2013532444.tif 000013